(57)【要約】      （修正有）【課題】泥水や泥などの中を歩行する際にも長靴の中へ泥水や泥が浸入することを防止する。【解決手段】足を収容する足部５０ａと、前記足部５０ａの上方に一体に形成されて下腿を囲う胴部５０ｂとを有する長靴であって、前記足部５０ａは、靴底５４と、この靴底５４の上部に設けられた甲部と、この甲部に連接して設けられた踵部と、を有し、前記甲部と踵部に、下方に開口部６０を有し、防水ズボンの裾又はカバーの裾部を収容するゴム枠部６が設けられている。【選択図】図２
2016087192.tif 000002
【特許請求の範囲】
【請求項１】
足を収容する足部と、前記足部の上方に一体に形成されて下腿を囲う胴部とを有する長靴であって、
前記足部は、靴底と、この靴底の上部に設けられた甲部と、この甲部に連接して設けられた踵部と、を有し、前記甲部と踵部に、下方に開口部を有し、防水ズボンの裾又はカバー部の裾部を収容するゴム枠部が設けられていることを特徴とする長靴。
【請求項２】
前記ゴム枠部は、甲部２と踵部に、接着されるベース部と、このベース部に連接され上方に立ち上がる立ち上がり壁と、この立ち上がり壁から略９０度に折れ曲がる水平部と、この水平部から下方に折れ曲がる立ち下がり片とを有することを特徴とする請求項１に記載の長靴。
【発明の詳細な説明】
【技術分野】
【０００１】
この発明は、長靴に係り、特に、大雨による土砂災害や川の氾濫による浸水の復旧作業などに用いて好適な長靴に関するものである。
【背景技術】
【０００２】
雨による土砂災害や、川の氾濫による浸水の復旧作業などにおいては、水や泥の中に入って作業を行う際に、長靴内に水や泥が入ることを防止することが要求される。
【０００３】
ところで、魚釣りの際に用いられ、長靴内に水や水中の小石などが入り込まないようにしたウェーダーが提案されている（例えば、特許文献１参照）。このウェーダーは、左右両足用に下部が二股に分かれたタイツ部と、タイツ部の二股に分かれた各下部の先端にそれぞれ縫合され連結されている一対のソックス部と、タイツ部の膝，すね付近から足首付近にかけて連続して設けられるとともに下端部がタイツ部とソックス部との縫合部分である足首周囲を覆うようにタイツ部に縫合され、かつ下端部が折り返し可能なカバー部材とを備えている。
【０００４】
上記したウェーダーのこのカバー部材は、足首付近まで連続して設けられており、ユーザが靴を履いて水中を歩行する際に、このカバー部材が靴の履き口を覆って、靴の中に小石や砂などの異物が浸入するのを防止している。
【０００５】
しかし、大雨による土砂災害や川の氾濫による浸水の復旧作業などにおいては、泥水や泥などの中を歩行することが多くなる。泥水や泥は抵抗が大きく、上記した特許文献１のウェーダーでは、カバー部材がめくれ上がり、長靴の履き口から泥水や泥が長靴の内部に入り込むなどの問題があった。
【先行技術文献】
【特許文献】
【０００６】
【特許文献１】特開平１１−１５８７１１号公報
【発明の概要】
【発明が解決しようとする課題】
【０００７】
上記したように、特許文献１のものにおいては、泥水や泥などの中を歩行する際には、長靴の中への泥水や泥の浸入を防ぐには十分ではない。
【０００８】
この発明は、上記した従来の問題点を解決するためになされたものにして、泥水や泥などの中を歩行する際にも長靴の中へ泥水や泥が浸入することを防止する長靴を提供することを課題とする。
【課題を解決するための手段】
【０００９】
この発明は、足を収容する足部と、前記足部の上方に一体に形成されて下腿を囲う胴部とを有する長靴であって、前記足部は、靴底と、この靴底の上部に設けられた甲部と、この甲部に連接して設けられた踵部と、を有し、前記甲部と踵部に、下方に開口部を有し、防水ズボンの裾又はカバーの裾部を収容するゴム枠部が設けられていることを特徴とする。
【００１０】
前記ゴム枠部は、甲部と踵部に、接着されるベース部と、このベース部に連接され上方に立ち上がる立ち上がり壁と、この立ち上がり壁から略９０度に折れ曲がる水平部と、この水平部から下方に折れ曲がる立ち下がり片とを有するように構成すればよい。
【発明の効果】
【００１１】
この発明は、防水ズボンの裾又はカバー部の裾部をゴム枠部内に収納させることで、泥水や泥の中を歩行する際に、泥水や泥の抵抗で裾又はカバー部が上にめくれ上がる方向に力が加わっても、ゴム枠部内に裾又は裾部が収納されているので、裾又はカバー部は、ゴム枠部に押し付けられることになり、裾又はカバー部がめくれ上がるのを防止でき、裾又はカバー部内に泥水や泥が入り込むのが防止され、長靴の中へ泥水や泥が浸入を抑制することができる。。
【図面の簡単な説明】
【００１２】
【図１】この発明の長靴を示す斜視図である。
【図２】この発明の長靴を示す正面図である。
【図３】この発明の長靴のゴム枠体に防水ズボンの裾又はカバーを収納させた状態の要部拡大図である。
【図４】この発明に用いて好適な防水ズボンの第１、第２のカバーを折り返した状態を示す正面図である。
【図５】この発明の防水ズボンの第２のカバーを折り返した状態を示す正面図である。
【図６】この発明の防水ズボンの第１、第２のカバーを伸ばした状態を示す正面図である。
【図７】この発明の防水ズボンを用いて長靴を着装する状態を示す正面図である。
【図８】この発明の防水ズボンを用いて長靴を着装する状態を示す正面図である。
【図９】この発明の防水ズボンを用いて長靴を着装する状態を示す正面図である。
【図１０】防水ズボンを用いてこの発明の長靴を着装した状態の断面図である。
【図１１】防水ズボンを用いてこの発明の長靴を着装した状態の断面図である。
【発明を実施するための形態】
【００１３】
この発明の実施の形態について図面を参照しながら詳細に説明する。なお、図中同一または相当部分には同一符号を付し、説明の重複を避けるためにその説明は繰返さない。
【００１４】
図１〜図３に示すように、長靴５は、使用者の足を保護する足部５０ａと下腿を囲う胴部５０ｂとから構成されている。足部５０ａは靴底５４と、靴底５４の上方外方端に接続する縁巻ゴム５５と、縁巻ゴム５５に接続する甲部５２と踵部５３とから構成されている。
【００１５】
また、足部５０ａの前方上部には、つま先補強ゴム５６が形成され、その内部には、図示はしないが、つま先を保護するための鋼製の先芯が設けられている。
【００１６】
また、甲部５２、踵部５３には、図示はしないが補強布が設けられている。
【００１７】
足部５０ａの甲部５２の上面から胴部５０ｂの前面にかけて水除５７が形成され、これの開度を調整するひも５１によって編み上げ式の構造となっている。
【００１８】
この発明の長靴は、甲部５２と踵部５３に、下方に開口部６０を有し、防水ズボンの裾又はカバー部の裾部を収容するゴム枠部６が設けられている。このゴム枠部６は、足部５０ａの全周に亘って設けられている。
【００１９】
図２に示すように、ゴム枠部６は、甲部５２と踵部５３に、接着されるベース部６１と、このベース部６１に連接され上方に立ち上がる立ち上がり壁６２と、この立ち上がり壁６２から略９０度に折れ曲がる水平部６３と、この水平部６３から下方に折れ曲がる立ち下がり片６４とを有する。立ち上がり壁６２と立ち下がり片６４との間に開口部６０が形成される。
【００２０】
図３に示すように、防水ズボン１００を着用し、ユーザがズボンの裾又はカバー部の裾部を長靴５の下方部まで延ばし、ズボンの裾又はカバー部の裾部をゴム枠部６内に収納させる。この図３では、カバー部４の裾部４ａを開口部６０からゴム枠部６内に収納させる。カバー部４の裾部４ａには、ゴムが編み込まれているので、ゴム枠部６の立ち上がり壁６２にカバー部４の裾部４ａが密着する。
【００２１】
このように、カバー部４の裾部４ａをゴム枠部６内に収納させることで、泥水や泥の中を歩行する際に、泥水や泥の抵抗でカバー部４が上にめくれ上がる方向に力が加わっても、ゴム枠部６内にカバー部４の裾部４ａが収納されているので、カバー部４は、ゴム枠部６に押し付けられることになり、カバー部４がめくれ上がるのを防止できる。このため、カバー部４内に泥水や泥が入り込むのが防止され、長靴５の中へ泥水や泥が浸入を抑制することができる。
【００２２】
尚、カバー部４を設けていない防水ズボンでは、裾をゴム枠部６内に収納させ、長靴５の中へ泥水や泥が浸入を抑制する。
【００２３】
次に、この発明の長靴５に用いて好適な防水ズボン１００について、図面を参照して説明する。この防水ズボン１００は、図４から図６に示すように、左右両足用に下部が二股に分かれた脚部１と、脚部１の二股に分かれた各下部１ａ，１ｂの先端にそれぞれ接合され連結されている１対のソックス部２とを有する。そして、下端部が靴の履き口より下部を覆うように、脚部１の膝又は脛付近に接合され、この脚部１の膝又は脛付近から履き口より下の位置、この実施形態では、長靴の中間部の高さ付近まで連続して設けられた第１のカバー部材３と、第１のカバー部材と３と同様に脚部１の膝又は脛付近に接合され、第１のカバー部材３を覆い、更に、下端部が足首周囲を覆うように脚部１の膝又は脛付近から足首付近にかけて連続して設けられた第２のカバー部材４とを有している。
【００２４】
この第１のカバー部材３及び第２のカバー部材４は、図４に示すように、脚部１の上側に折り返すことができるように、脚部１に接合されている。図５に示すように、第１のカバー部材３をソックス部２の方に延ばし、第２のカバー部材４を折り返すこともできる。すなわち、第１のカバー部材３と第２のカバー部材４とはそれぞれ独立して折り返し、又はソックス部２の方向へ延ばすことができるように、脚部１に接合されている。
【００２５】
図６に示すように、第１のカバー部材３と第２のカバー部材４とをソックス部２の方向へ延ばすと、第１のカバー部材３は、第２のカバー部材４に覆われる。
【００２６】
第１のカバー部材３の裾部３ａ及び第２のカバー部材４の裾部４ａには、ゴムが縫い込まれ、第１のカバー部材３及び第２のカバー部材４の裾部３ａ、４ａを長靴５の周囲に密着させるように構成している。更に、第２のカバー部材４には、ひも４１が取り付けられ、このひも４１を長靴５のひも５１などに取付け、第２のカバー部材４がめくれ上がるのを防止している。
【００２７】
防水ズボン１００の腰部１ｃにもゴムが縫い込まれ、防水ズボン１００を着たときに防水ズボン１００がずり落ちないように構成されている。
【００２８】
そして、図７、図１０，図１１に示すように、ユーザは、足１０１を入れたソックス部２の上に編みひも式の長靴５を履いて、第１のカバー部材３、第２のカバー部材４を長靴５の足首部付近まで伸ばして、長靴５の上に被せて着装する。
【００２９】
図１０及び図１１に示すように、第１のカバー部材３及び第２のカバー部材４の裾部３ａ、４ａには、ゴムが縫い込まれているので、長靴５の周囲に密着される。そして、長靴５の履き口部分は、まず第１のカバー部材３で覆われ、更に、その上に第２のカバー部材４で覆われる。防水ズボン１００を着用し、ユーザがカバー部４の裾部４ａを長靴５の下方部まで延ばし、その裾部４ａを開口部６０からゴム枠部６内に収納させる。カバー部４の裾部３ａには、ゴムが編み込まれているので、ゴム枠部６の立ち上がり壁６２に密着する。
【００３０】
上記のように、防水ズボン１００を着装すると、泥水や泥の中を歩行しても、第２のカバー部材４がめくれ上がることが防止され、泥水や泥が長靴５内に侵入することが防止できる。また、第２のカバー部材４と長靴５の間に、泥や泥水が侵入したとしても、侵入した泥や泥水は、第１のカバー部材３と第２のカバー部材４との間で留まる。そして、長靴５の履き口は、第１のカバー部材３で覆われているので、第２のカバー部材４と長靴５の間に侵入した泥や泥水が長靴５内に侵入することが防止できる。
【００３１】
次に、この実施形態の防水ズボン１００と長靴５の着装につき図面を参照して説明する。ユーザが防水ズボン１００の脚部１に足を入れ、それぞれのソックス部２に足先を挿入して、防水ズボン１００を着る。そして、第１のカバー部材３、第２のカバー部材４を捲り上げる。
【００３２】
そして、図７に示すように、編みひも式長靴５の履き口からソックス部２を入れ、長靴５を履く。図８に示すように、第１のカバー部材３を長靴５の履き口を覆うようにして、長靴５の上に被せる。
【００３３】
続いて、図９及び図１０に示すように、第２のカバー部材４を下ろし、第１のカバー部材３を覆って、長靴５の足首部付近まで伸ばして、長靴５に被せる。第１のカバー部材３及び第２のカバー部材４の裾部３ａ、４ａには、ゴムが縫い込まれているので、長靴５の周囲に密着される。そして、長靴５の履き口部分は、まず第１のカバー部材３で覆われ、更に、その上に第２のカバー部材４で覆われることになる。
【００３４】
続いて、第２のカバー部材４のひも４１を長靴５のひも５１等に固定して、第２のカバー部材４の裾を固定し、第２のカバー部材４の裾がめくれ上がることを確実に防止している。
【００３５】
そして、図１１に示すように、ひも４１の端を第２のカバー部材４と長靴５との間に入れて収納する。カバー部４の裾部４ａを長靴５の下方部まで延ばし、その裾部４ａを開口部６０からゴム枠部６内に収納させる。カバー部４の裾部４ａには、ゴムが編み込まれているので、ゴム枠部６の立ち上がり壁６２に密着する。このようにして、着装が完了する。
【００３６】
このように、カバー部４の裾部４ａを開口部６０からゴム枠部６内に収納させることで、泥水や泥がカバー部４内に浸入することが抑制される。
【００３７】
上記した実施形態では、第１、第２のカバー部３、４を有する防水ズボン１００にこの発明の長靴５を着装させているが、カバー部が１つの防水ズボンにもこの発明の長靴５を着装させ、泥水や泥の浸入を防ぐことができる。
【００３８】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００３９】
１      ：脚部
１ａ    ：下部
１ｂ    ：下部
１ｃ    ：腰部
２      ：ソックス部
３      ：第１のカバー部
３ａ    ：裾部
４      ：第２のカバー部
４ａ    ：裾部
５      ：長靴
６      ：ゴム枠部
【図１】
2016087192.tif 000003
【図２】
2016087192.tif 000004
【図３】
2016087192.tif 000005
【図４】
2016087192.tif 000006
【図５】
2016087192.tif 000007
【図６】
2016087192.tif 000008
【図７】
2016087192.tif 000009
【図８】
2016087192.tif 000010
【図９】
2016087192.tif 000011
【図１０】
2016087192.tif 000012
【図１１】
2016087192.tif 000013
【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
足を収容する足部と、前記足部の上方に一体に形成されて下腿を囲う胴部とを有する長靴であって、
前記足部は、靴底と、この靴底の上部に設けられた甲部と、この甲部に連接して設けられた踵部と、を有し、前記甲部と踵部に、下方に開口部を有し、防水ズボンの裾又はカバー部の裾部を収容するゴム枠部が設けられていることを特徴とする長靴。
【請求項２】
前記ゴム枠部は、甲部と踵部に、接着されるベース部と、このベース部に連接され上方に立ち上がる立ち上がり壁と、この立ち上がり壁から略９０度に折れ曲がる水平部と、この水平部から下方に折れ曲がる立ち下がり片とを有することを特徴とする請求項１に記載の長靴。